【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
原子炉用の燃料バンドルであって、
少なくとも１つがマルチセグメント棒である複数の棒であって、その各々のマルチセグメント棒が、
その軸方向に離脱可能に互いに合体する棒セグメント対からなる複数の棒セグメントであって、その棒セグメントは各々が被覆されることにより、前記軸方向に合体されたときに前記軸方向の連続被覆管を形成するような連続マルチセグメント棒を形成するべく構成され、その少なくとも１つの棒セグメントが照射ターゲットを含まないアダプタ部分組立体（３００、３００ａ、３００′）となるように構成された、複数の棒セグメントと、
棒セグメント内の少なくとも１つの照射ターゲット、
とを有するような複数の棒と、
各スペーサが、他のスペーサから前記軸方向に離間し、且つ、前記マルチセグメント棒の軸長に沿って１つのアダプタ部分組立体にのみ接するように構成されたスペーサを含む複数のスペーサ、
とを具備することを特徴とする原子炉用燃料バンドル。
【請求項２】
前記少なくとも１つの照射ターゲットは核燃料を含まないことを特徴とする請求項１の原子炉用燃料バンドル。
【請求項３】
前記少なくとも１つの照射ターゲットの他の照射ターゲットは核燃料を含むことを特徴とする請求項２の原子炉用燃料バンドル。
【請求項４】
前記少なくとも１つの照射ターゲットは原子番号３よりも大きいアイソトープであることを特徴とする請求項１の原子炉用燃料バンドル。
【請求項５】
前記少なくとも１つの棒セグメントは複数の照射ターゲットを含むことを特徴とする請求項１の原子炉用燃料バンドル。
【請求項６】
前記少なくとも１つの棒セグメントは少なくとも１つの容器組立体を含み、
この容器組立体が、
第１の端部と、
第２の端部と、
前記少なくとも１つの照射ターゲットと、
前記第１と第２の端部の少なくとも１つに装着し、前記容器部分組立体の内部の照射ターゲットをシールするように構成された端部キャップと、
を含むことを特徴とする請求項１の原始路用燃料バンドル。
【請求項７】
前記容器部分組立体は、その内部にある照射ターゲットを示す外部指標を有することを特徴とする請求項６の原始路用燃料バンドル。
【請求項８】
前記容器部分組立体とこの前記容器部分組立体を含むシールされて照射ターゲットのための二重容器を提供することを特徴とする請求項６の原始路用燃料バンドル。
【請求項９】
前記棒セグメントは、アダプタのプラグと受容体と、ネジとねじ切りされた開口と、舌部と受容体ととにより解離可能に合体されていることを特徴とする請求項６の原始路用燃料バンドル。
【請求項１０】
前記照射ターゲットは中性子線に照射されるとコバルト６０に変わるコバルト５９であることを特徴とする請求項６の原始路用燃料バンドル。
【請求項１１】
燃料バンドルの製造方法であって、
少なくとも１つの棒がマルチセグメント棒であるような複数の棒を形成する工程であって、この工程が、
複数の棒セグメントの少なくとも１つのセグメントの中に少なくとも１つの照射ターゲットを載置する工程と、
各々が被覆された前記複数の棒セグメントを互いに軸方向に合体させて、前記軸方向に合体されたときに前記軸方向の連続被覆管を形成するような連続マルチセグメント棒を形成するべく構成され、その少なくとも１つの棒セグメントが照射ターゲットを含まないアダプタ部分組立体（３００、３００ａ、３００′）となるように前記複数の棒セグメントを互い合体させる工程、
とを有する複数の棒を形成する工程と、
複数のスペーサと前記複数の棒を含む燃料バンドルを、前記複数のバンドルを前記複数のスペーサ内に載置することにより燃料バンドルを形成する工程であって、前記スペーサの各々が前記マルチセグメント棒の軸長に沿って１つのアダプタ部分組立体にのみ接するように、前記燃料バンドルを形成する工程、
とを具備することを特徴とする燃料バンドル製造方法。
【請求項１２】
前記少なくとも１つの照射ターゲットを載置する工程は、
前記少なくとも１つの照射ターゲットを、第１の端部と第２の端部と前記少なくとも１つの照射ターゲットとを含む少なくとも１つの容器組立体内に載置する工程と、
前記少なくとも１つの照射ターゲットを前記容器組立体の内部で、前記第１と第２の端部の少なくとも１つに適合するように構成された末端キャップでシールをする工程と、
前記少なくとも１つの容器組立体を前記複数の棒セグメントの少なくとも１つに載置する工程、
とを具備することを特徴とする請求項１１の燃料バンドル製造方法。
【請求項１３】
さらに、
前記容器組立体上に、前記少なくとも１つの照射ターゲットがその中に含まれていることを示す外部指標を提供することを特徴とする請求項１２の燃料バンドルの製造方法。
【請求項１４】
前記合体する工程は、アダプタのプラグと受容体との合体、或いはネジとネジを切られた開口と、舌片と受容体とを合体させる工程の少なくとも１つを含むことを特徴とする請求項１１の燃料バンドルの製造方法。
【手続補正２】
【補正対象書類名】明細書
【補正対象項目名】０００５
【補正方法】変更
【補正の内容】
【０００５】
従来の解決方法には、原子炉冷却材からデブリを濾過するためのデブリフィルタの使用を採用することが含まれていた。これらのデブリフィルタは、典型的には燃料棒集合体の下部タイプレートまたはノズル内に置かれ、従って、燃料が取り出されるときに交換される。また、デブリフィルタ処理装置は原子炉設備配管システムに導入されてきた。しかしながら、デブリフィルタ及び／または外部フィルタ機構は、原子炉におけるフレッティング問題を完全には解決しない。フレッティングは依然として発生して燃料破損を引き起こし、これが燃料、核分裂生成物、または他の燃料棒内容物を冷却材中に放出させ、燃料棒集合体の供用の早期回収またはコスト高になるサイクル中途での燃料交換につながる可能性がある。
【特許文献１】米国特許公開  ２００８−０７６９５７
【特許文献２】米国特許公開  ２００８−０３１８１１
【特許文献３】米国特許公開  ２００７−２９７５５４
【特許文献４】米国特許公開  ２００７−１３３７３１
【特許文献５】米国特許公開  ２００６−１２６７７４
【特許文献６】米国特許公開  ２００６−０６２３４２
【特許文献７】米国特許公開  ２００５−１０５６６６
【特許文献８】米国特許公開  ２００５−１１８０９８
【特許文献９】米国特許公開  ２００４−０９１４２１
【特許文献１０】米国特許公開  ２００４−１９６９４２
【特許文献１１】米国特許公開  ２００４−１９６９４３
【特許文献１２】米国特許公開  ２００４−１０５５２０
【特許文献１３】米国特許公開  ２００３−０１２３２５
【特許文献１４】米国特許公開  ２００３−０１６７７５
【特許文献１５】米国特許公開  ２００３−１０３８９６
【特許文献１６】米国特許公開  ２００２−０３４２７５
【特許文献１７】米国特許  第６，２３３，２９９号
【特許文献１８】米国特許  第４，４９３，８１３号
【特許文献１９】米国特許  第５，８６７，５４６号
【特許文献２０】米国特許  第４，６６３，１１１号
【特許文献２１】米国特許  第４，６１７，９８５号
【特許文献２２】米国特許  第４，４６２，９５６号
【特許文献２３】米国特許  第４，１９６，０４７号
【特許文献２４】米国特許  第４，８５９，４３１号
【特許文献２５】米国特許  第５，６８２，４０９号
【特許文献２６】米国特許  第５，３５５，３９４号
【特許文献２７】米国特許  第４，４７５，９４８号
【特許文献２８】米国特許  第４，５３２，１０２号
【特許文献２９】米国特許  第５，５９６，６１１号
【特許文献３０】米国特許  第６，４５６，６８０号
【特許文献３１】米国特許  第５，５１３，２２６号
【特許文献３２】米国特許  第６，０５６，９２９号
【特許文献３３】米国特許  第６，８０４，３１９号
【特許文献３４】米国特許  第６，７５１，２８０号
【特許文献３５】米国特許  第６，８９５，０６４号
【特許文献３６】米国特許  第５，９１０，９７１号
【特許文献３７】米国特許  第５，７５８，２５４号
【特許文献３８】米国特許  第５，６３３，９００号
【特許文献３９】米国特許  第５，１４５，６３６号
【特許文献４０】米国特許  第５，０５３，１８６号
【特許文献４１】米国特許  第４，７２９，９０３号
【特許文献４２】米国特許  第６，８９６，７１６号
【特許文献４３】米国特許  第６，１６０，８６２号
【特許文献４４】米国特許  第５，４００，３７５号
【特許文献４５】米国特許  第４，２８４，４７２号
【特許文献４６】米国特許  第３，９９８，６９１号
【特許文献４７】米国特許  第４，５９７，９３６号
【特許文献４８】米国特許  第７，２３５，２１６号
【特許文献４９】米国特許  第５，８７１，７０８号
【特許文献５０】米国特許  第７，１５７，０６１号
【特許文献５１】米国特許  第４，７８２，２３１号
【特許文献５２】米国特許第５，２０９，８９９号公報